(57)【要約】【課題】外壁面に沿って設けた立体的な植栽により、直射日光による外壁温度の上昇を抑制して外壁まわりの熱負荷を低減すると同時に空調機械室に導入する外気を冷却して、建物内部の熱負荷を低減できるようにした省エネルギー性に優れた建物の壁面緑化構造を提供する。【解決手段】建物の空調機械室１の外壁をルーバー３で構成し、ルーバー３の外面には上下に間隔を隔てて複数段のプランター４を設け、プランター４に植栽された植物５により壁面緑化を行うと共に、壁面緑化用植物５の水分蒸発による冷却作用によって冷やされた外気を空調機械室１に設置された空調機２に導入するように構成する。【選択図】図１
2009219429.tif 000002
【特許請求の範囲】
【請求項１】
建物の空調機械室の外壁をルーバーで構成し、ルーバーの外面には上下に間隔を隔てて複数段のプランターを設け、プランターに植栽された植物により壁面緑化を行うと共に、壁面緑化用植物の水分蒸発による冷却作用によって冷やされた外気を空調機械室に設置された空調機に導入するように構成したことを特徴とする建物の壁面緑化構造。
【請求項２】
空調機から排出されるドレン水をプランターに灌水するように構成したことを特徴とする請求項１に記載の建物の壁面緑化構造。
【請求項３】
外壁の外側に避難通路用のバルコニーを設け、バルコニーの床材をグレーチングとすることにより、バルコニーによる壁面への影を減少すると共に、斜め下方からバルコニーより上方の壁面緑化植物を目視できるようにし、バルコニーの先端には上下に間隔を隔てて複数段の透明板を設けて、非常時における歩行者の安全を確保するように構成したことを特徴とする請求項１又は２に記載の建物の壁面緑化構造。
【発明の詳細な説明】
【技術分野】
【０００１】
本発明は、例えば、事務所用ビルや商業施設用ビル等の建物の壁面緑化構造に関する。
【背景技術】
【０００２】
近年、都市部におけるヒートアイランド現象の抑制、都市景観の向上、直射日光による外壁温度の上昇を抑制して外壁まわりの熱負荷を低減することなどを意図して、様々な建物の壁面緑化構造が提案されている。
【０００３】
しかし、従来の壁面緑化構造では、何れも、特許文献１〜３等に見られるように、省エネルギーに関しては、外壁の熱負荷を小さくするという機能を有するに留まり、建物内部の熱負荷を処理するには至っていない。一般に、外壁まわり（ペリメータゾーン）は建物全体の表面積の２０％程度であり、外壁の熱負荷を小さくすることによる省エネルギー効果は限定的なものである。
【０００４】
尚、特許文献４には、建物における居住空間の外周部に、居住快適性を創り出す領域としてバッファーゾーンを設け、バッファーゾーンの床面に鉢植え植物による緑化部を設け、居住空間とバッファーゾーンを仕切る間仕切と、バッファーゾーンと外界を隔てる建物外壁に、夫々、通気ガラリを設け、バッファーゾーンの植物の水分蒸発による冷却作用によって冷やされた外気を居住空間に導入して、居住空間における冷房負荷を低減するようにした建物が開示されている。
【０００５】
しかし、この従来例では、緑化部が建物の外壁より内側のバッファーゾーンに設けられているので、緑化部が外壁の熱負荷を小さくすることに全く寄与していない。また、緑化部が建物の外壁より内側に位置するので、外部からはガラス窓を通して緑化部が見える程度であり、壁面緑化にも寄与していない。
【０００６】
【特許文献１】特開２００７−２２２０１５号公報
【特許文献２】特開２００７−２０４１５号公報
【特許文献３】特開２００６−２９６２３０号公報
【特許文献４】特開平７−２２４５５２号公報
【発明の開示】
【発明が解決しようとする課題】
【０００７】
本発明は、上記の問題点を踏まえてなされたものであって、その目的とするところは、外壁面に沿って設けた立体的な植栽により、直射日光による外壁温度の上昇を抑制して外壁まわりの熱負荷を低減すると同時に空調機械室に導入する外気を冷却して、建物内部の熱負荷を低減できるようにした省エネルギー性に優れた建物の壁面緑化構造を提供することにある。
【課題を解決するための手段】
【０００８】
上記の目的を達成するために本発明が講じた技術手段は次の通りである。即ち、請求項１に記載の発明による建物の壁面緑化構造は、建物の空調機械室の外壁をルーバーで構成し、ルーバーの外面には上下に間隔を隔てて複数段のプランターを設け、プランターに植栽された植物により壁面緑化を行うと共に、壁面緑化用植物の水分蒸発による冷却作用によって冷やされた外気を空調機械室に設置された空調機に導入するように構成したことを特徴としている。
【０００９】
請求項２に記載の発明は、請求項１に記載の建物の壁面緑化構造であって、空調機から排出されるドレン水をプランターに灌水するように構成したことを特徴としている。
【００１０】
請求項３に記載の発明は、請求項１又は２に記載の建物の壁面緑化構造であって、外壁の外側に避難通路用のバルコニーを設け、バルコニーの床材をグレーチングとすることにより、バルコニーによる壁面への影を減少すると共に、斜め下方からバルコニーより上方の壁面緑化用植物を目視できるようにし、バルコニーの先端には上下に間隔を隔てて複数段の透明板を設けて、非常時における歩行者の安全を確保するように構成したことを特徴としている。
【発明の効果】
【００１１】
請求項１に記載の発明によれば、空調機械室の外壁を構成するルーバーの外面に沿って設けられた複数段のプランターによる立体的な植栽によって壁面緑化を行うので、直射日光による外壁温度の上昇を抑制して外壁まわりの熱負荷を低減することができ、しかも、壁面緑化用植物の水分蒸発による冷却作用によって冷やされた外気を空調機械室内の空調機に導入するので、建物内部の熱負荷を低減でき、これらによって建物全体としての省エネルギー効果を達成できる。
【００１２】
請求項２に記載の発明によれば、上記の効果に加え、空調機械室に設置した空調機から排出されるドレン水をプランターに灌水するので、壁面緑化用植物への人為的な灌水作業が軽減されることと、ドレン水の利用による節水効果とによって経済性を確保できるという効果がある。
【００１３】
請求項３に記載の発明によれば、外壁の外側に避難通路用のバルコニーがあり、バルコニーの先端には上下に間隔を隔てて複数段の透明板を設けて、非常時における歩行者の安全を確保するように構成してあるので、壁面緑化用植物の移植や消毒、その他の手入れを、ゴンドラ等を使用せずに安全に行うことができる。また、バルコニーの先端に設けられる安全確保用部材として、上下に間隔を隔てて複数段の透明板を設けるので、これらの部材によって壁面緑化用植物への採光、通風が妨げられることがない。
【００１４】
殊に、バルコニーの床材をグレーチングとすることにより、バルコニーによる壁面への影を減少すると共に、斜め下方からバルコニーより上方の壁面緑化植物を目視できるようにしたので、バルコニーが壁面緑化による景観の妨げになることを極力防止できる。
【発明を実施するための最良の形態】
【００１５】
以下、本発明の実施形態を図面に基づいて説明する。図１は本発明に係る建物の壁面緑化構造の一例を示す。１は建物における各階の空調機械室であり、空調機２が設置されている。３は空調機械室１の外壁を構成するアルミ等の金属製のルーバーである。ルーバー３の外面には上下に間隔を隔てて複数段のプランター４が設けられており、プランター４に植栽された植物５により壁面緑化を行うように構成されている。
【００１６】
そして、プランター４に植栽された壁面緑化用植物５の水分蒸発による冷却作用によって冷やされた外気は、ルーバー３から空調機械室１内部の空調機２に導入するように構成され、当該空調機２によって、居室、オフィス、店舗等々に供される建物の内部空間を空調するように構成されている。上階の空調機械室１に設置した空調機２から排出されるドレン水は、下階のプランター４に重力で灌水されるようにパイプ配管６されている。
【００１７】
上記の構成によれば、空調機械室１の外壁を構成するルーバー３の外面に沿って設けられた複数段のプランター４による立体的な植栽によって壁面緑化を行うので、直射日光Ａによる外壁温度の上昇を抑制して外壁まわりの熱負荷を低減することができる。
【００１８】
しかも、壁面緑化用植物５の水分蒸発による冷却作用によって冷やされた外気Ｂを空調機械室１内の空調機２に導入するので、建物内部の熱負荷を低減でき、これらによって建物全体としての省エネルギー効果を達成できる。
【００１９】
また、空調機械室１に設置した空調機から排出されるドレン水をプランター４に灌水するので、壁面緑化用植物５への人為的な灌水作業が軽減されることになり、ドレン水の利用による節水効果と相まって経済性を確保できる。
【００２０】
図示しないが、建物の空調機械室１以外の外壁は、例えば、プレキャストコンクリート版、ガラスカーテンウォール等によって構成されており、これらの外壁のうち、壁面緑化を行う領域には、外壁の外面に沿って、前記ルーバー３と同じデザインの金属製ルーバーが設置される。そして、これらのルーバーの外面にも、空調機械室１外面と同じデザインとなるように、上下に間隔を隔てて複数段のプランターを設け、プランターに植栽された植物により壁面緑化を行うことになる。
【００２１】
図２〜図４は、本発明に係る建物の壁面緑化構造の他の例を示す。この実施形態は、アルミ等の金属製のルーバー３で構成された外壁の外側に避難通路用のバルコニー７を設け、バルコニー７の先端に適当間隔おきに立設した支柱７ｂに、上下幅が４００ｍｍ程度の透明板８を上下に４００ｍｍ程度の間隔を隔てて複数段に架設して、非常時における歩行者の安全を確保するように構成すると共に、前記バルコニー７の床材をアルミ等の金属製のグレーチング７ａとすることにより、図３に示すように、矢印ａ−ａの範囲に斜め上方から直射日光が当たった際のバルコニー７による壁面への影を減少すると共に、建物を外部から見上げたとき、図３に矢印ｂで示すように、斜め下方からバルコニー７より上方の壁面緑化植物５をグレーチング７ａの格子状の隙間を通して目視できるように構成した点に特徴がある。透明板８としては、例えば、強化合せガラスが用いられる。７ｃは、グレーチング７ａと支柱７ｂを支持する小梁鉄骨であり、梁９に片持ち状に支持されている。
【００２２】
上記の構成によれば、外壁の外側に避難通路用のバルコニー７があり、バルコニー７の先端には上下に間隔を隔てて複数段の透明板８を設けて、非常時における歩行者の安全を確保するように構成してあるので、壁面緑化用植物５の移植や消毒、その他の手入れを、ゴンドラ等を使用せずに安全に行うことができる。
【００２３】
また、バルコニー７の先端に設けられる安全確保用部材として、上下に間隔を隔てて複数段の透明板８を設けるので、これらの部材によって壁面緑化用植物５への採光、通風が妨げられることがない。
【００２４】
殊に、バルコニー７の床材をグレーチング７ａとすることにより、バルコニー７による壁面への影を減少すると共に、斜め下方からバルコニー７より上方の壁面緑化植物５を目視できるようにしたので、バルコニー７が壁面緑化による景観の妨げになることを防止できる。その他の構成や作用は、図１の実施形態と同じであるため、同一構成部材に同一符号を付し、説明を省略する。
【００２５】
以上、複数の実施形態について説明したが、本発明は上記の実施形態にのみ限定されるものではなく、本発明の要旨を逸脱しない範囲で種々の実施形態を採用できることは勿論である。
【図面の簡単な説明】
【００２６】
【図１】本発明の実施形態を示す建物の壁面緑化構造の縦断側面図である。
【図２】本発明の他の実施形態を示す斜視図である。
【図３】図２で示した建物の壁面緑化構造の縦断側面図である。
【図４】要部の拡大縦断側面図である。
【符号の説明】
【００２７】
１  空調機械室
２  空調機
３  ルーバー（外壁）
４  プランター
５  壁面緑化用植物
６  パイプ配管
７  バルコニー
７ａ  グレーチング
７ｂ  支柱
７ｃ  小梁鉄骨
８  透明板
９  梁
Ａ  直射日光
Ｂ  外気
ａ  矢印
ｂ  矢印
【図１】
2009219429.tif 000003
【図２】
2009219429.tif 000004
【図３】
2009219429.tif 000005
【図４】
2009219429.tif 000006